(57)【特許請求の範囲】
【請求項１】
通気性素材からなる円筒状の胴部と、その上部開口を開閉可能な上蓋と、上記胴部を延長して菊割り状とした底受け材と、上記胴部の内側に縫着し胴部下面を閉塞する排出口部とからなる堆肥化袋で、上記胴部の菊割りが始まる部分の外周に弾性を有する環状のフープを取り付け、このフープは、グラスファイバーロッドからなる棒材を蛇腹状のフレキシブルホースに挿通し、フレキシブルホースの両端には連結部を設けてリング状としたことを特徴とする堆肥化袋。
【請求項２】
通気性素材からなる円筒状の胴部と、その上部開口を開閉可能な上蓋と、上記胴部を延長して菊割り状とした底受け材と、上記胴部の内側に縫着し胴部下面を閉塞する排出口部とからなる堆肥化袋で、上記胴部の菊割りが始まる部分の外周に弾性を有する環状のフープを取り付け、このフープは、グラスファイバーロッドからなる棒材を発泡合成樹脂からなるホースで被覆し、このホースの両端には連結部を設けたことを特徴とする堆肥化袋。
【請求項３】
通気性素材からなる円筒状の胴部と、その上部開口を開閉可能な上蓋と、上記胴部を延長して菊割り状とした底受け材と、上記胴部の内側に縫着し胴部下面を閉塞する排出口部とからなる堆肥化袋で、上記胴部の菊割りが始まる部分の外周に弾性を有する環状のフープを取り付け、このフープは、グラスファイバーの可撓管からなる複数の管材を結合部材を介して互いに連結して環状としたことを特徴とする堆肥化袋。
【請求項４】
胴部の菊割りが始まる部分の外周にベルト布を縫着し、該ベルト布に上記環状のフープを取り付けた請求項１から請求項３のいずれか１項に記載の堆肥化袋。
【請求項５】
フープの取り付けは、胴部の菊割りが始まる部分の外周に沿って円周方向に断続的にフープ通しを縫着し、このフープ通しに前記フープを挿通したものである請求項１から請求項４のいずれか１項に記載の堆肥化袋。
【発明の詳細な説明】
【０００１】
【発明の属する技術分野】
この発明は、籾殻や切り藁等の農畜産廃棄物を原肥として良質の堆肥を得るための堆肥化袋に関する。そして、該堆肥化袋内に堆積、硬化していわゆるブリッジとなった堆肥を容易かつ確実に取り出せるようにした新たな堆肥化袋の構造に関するものである。
【０００２】
【従来の技術】
従来から、籾殻や切り藁等の農畜産廃棄物を効率的に堆肥化する手段として、堆肥化袋が広く採用されている。この堆肥化袋の一般的な構造は、例えば、通気性素材によって縫製された筒状の胴部の上下に開閉可能な上蓋と底蓋とを設けたものである。
【０００３】
通常屋外で使用されるこの種の堆肥化袋は、内部の原肥が良好に腐熟するまでに長時間を要するため、この間に原肥が沈降してその胴部が中膨れ状ないし下膨れ状となって硬化し、いわゆるブリッジとなってしまい、その堆肥化袋の底部を全開しても、堆肥を取り出せない場合があった。
【０００４】
そこで、本願出願人は、この種の堆肥化袋の胴部下半部における胴外周を一定量絞縮可能とし、堆肥の取り出しの際には、この絞縮部を緩めて取り出し口を拡開して使用するようにした堆肥化袋を開示している（特開平９−２７８５７３号）。しかし、堆肥を底面の開口部から取り出すためには、まだ、硬化した堆肥をある程度砕く必要があり、下面から棒で突いたり、木槌で叩いたりしてから取り出しているというのが現状であり、なおかなりの労力を要するものであった。
【０００５】
【発明が解決しようとする課題】
このため、本願出願人はさらに、堆肥化袋の胴部の下半部の少なくとも一ヶ所において、ファスナー等により縦方向に開閉可能とした堆肥化袋を提案している（特願２０００−０３３４０８号）。このように胴部下半部の縦方向を開閉可能としたことにより、実質的に堆肥を取り出すことができる取出口の面積が大きくなり、硬化してブリッジとなった堆肥をそのまま取り出すことができるようになった。
【０００６】
しかしながら、かかる構造の堆肥化袋の場合、原肥の沈降による内圧によって、胴部下半部のファスナー等により開閉可能とした部分に大きな力がかかり、ファスナー等が左右に裂けてしまうおそれがあったから、別途、ロープ等を結ぶなどして該部を補強する必要があったほか、胴部を縦方向に開く構造上、横から堆肥等がこぼれ落ちるのを回避するため、開閉部の内周に折りひだ状のあて布を設ける必要があるなど、構造的に複雑なものとなっていた。
【０００７】
また、この種堆肥化袋は屋外において使用されるものであるから、通気性を有する胴部の下端には雨のはね返りを防ぐ手段が必要であり、さらに、安定的に設置するために、少なくとも胴部下端部は立ち上がりを有することが好ましい。
【０００８】
本発明は、上記各課題を解決することを目的としたものであって、堆肥が下膨れ状とならないようにして、容易に取り出すことができるようにした堆肥化袋について開示するものである。
【０００９】
【課題を解決するための手段】
本発明では、上述した課題を解決するために、通気性素材からなる円筒状の胴部と、その上部開口を開閉可能な上蓋と、上記胴部を延長して菊割り状とした底受け材と、上記胴部の内側に縫着し胴部下面を閉塞する排出口部とからなる堆肥化袋において、上記胴部の菊割りが始まる部分の外周に弾性を有する環状のフープを取り付けるという手段を採用することとした。なお、フープの素材及び具体的構成は後述する。
【００１０】
上記構成の堆肥化袋は、胴部の菊割りが始まる部分の外周に環状のフープを取り付けたことで、フープがフレームとして機能し、胴部下縁の排出口が円状に開いた状態で広く維持される。そのため、該部で堆肥のブリッジが発生することがなく、堆肥は極めて容易に排出されることになる。
【００１１】
また、胴部の菊割りが始まる部分の外周にベルト布を縫着し、該ベルト布に上記環状のフープを取り付けるという手段も採用した。
【００１２】
かかるベルト布によって、雨のはね返りが袋内に浸入することを防止する雨よけとなると共に、円筒状の胴部の底部の立ち上がりとしても機能することになり、袋を安定した状態で設置できるようになる。
【００１３】
また、フープの具体的な取り付け手段としては、胴部の菊割りが始まる部分の外周に沿って円周方向に断続的にフープ通しを縫着し、このフープ通しに前記フープを挿通するという手段を採用した。
【００１４】
このフープ通しにフープを挿通することによって、フープは胴部と一体化するので、フープの弾性とフレーム機能により、排出口が円状に開いた状態で広く維持する機能を果たすことになる。
【００１５】
さらに、フープのより具体的な手段としては、弾性材からなる棒材を蛇腹状のフレキシブルホースに挿通し、フレキシブルホースの両端には連結部を設けてリング状とするという構成を採用した。
【００１６】
この構成では、棒材がフレームとして機能する一方、フレキシブルホースが棒材を保護し、外部からの衝撃を緩和する。
【００１７】
また、フープの別の手段としては、弾性材からなる棒材を発泡合成樹脂からなるホースで被覆し、このホースの両端には連結部を設けるという構成を採用した。
【００１８】
発泡合成樹脂も、上記フレキシブルホースと同様に、外部からの衝撃を緩和する。
【００１９】
また、フープを、可撓管からなる複数の管材を結合部材を介して互いに連結して環状とするという手段も採用した。
【００２０】
かかる構成のフープによっても、フープがフレームとして機能し、胴部下縁の排出口が円状に開いた状態で広く維持される。
【００２１】
なお、棒材のより具体的な素材としては、加工容易なグラスファイバーロッドを採用した。
【００２２】
【発明の実施の形態】
以下、本発明に係る堆肥化袋の好ましい実施の形態を図面について説明する。
図１において、１は堆肥化袋の円筒状の胴部であって、通気性素材からなるものである。２は胴部の上面開口を閉塞する上蓋で、ファスナー３によって開閉自在に設けられるものであるが、上面から雨等が浸入することを防止するため撥水性の素材で構成したものであることが好ましい。また、４、４は胴部の適宜位置に設けられた持ち手である。
【００２３】
５、５・・は上記胴部１を延長して菊割り状とした底受け材で、下述する排出口部８で胴部１の下面を閉塞した後、その下面を封止するものである。この底受け材５の各先端部には金属製または合成樹脂製のリング６、６・・を取り付けると共に、各リング６にロープ７を挿通し、ロープ７を引き絞ることによって胴部下面を封止できるようになっている。８は胴部１の内側の上記菊割りが始まる部分に縫着した内袋からなる排出口部、９は該排出口部８を縛って閉塞するためのテープである。上記底受け材５、排出口部８はいずれも通気性素材によって構成されている。なお、上記構成は従来の堆肥化袋と基本的に同じ構成である。
【００２４】
次に、１０は上記胴部１の下縁、即ち底受け材の菊割りが始まる部分の外周に縫着したベルト布で、雨が降った場合、雨のはね返りが袋内に浸入することを防止する雨よけとなると共に、円筒胴部の底部の立ち上がりとしても機能するものである。なお、このベルト布１０は必要に応じて取り付ければよい。１１は胴部下縁の開口を維持するため上記ベルト布１０に取り付けられた環状の弾性フープであって、これを取り付けるため、ベルト布１０の周囲には断続的にフープ１１を挿通するためのフープ通し１２、１２・・が縫合されている。そして、フープ通し１２にフープ１１を挿通することによってフレームを構成し胴部の下縁が円状に開いた状態で維持される。従って、該部で堆肥のブリッジが形成されることがなく、開口は一定の大きさを維持するので、堆肥は容易に排出できる。
【００２５】
図２は上記フープ１１の具体的な構成の例を示すものであり、１３は弾性材としてのグラスファイバー棒材をリング状に撓めた環状弾性材、１４は環状弾性材１３の周囲を保護するための蛇腹状のフレキシブルホース、１５（１５ａ・１５ｂ）はフレキシブルホース１４のそれぞれ端部を嵌合してリング状に維持するための一対の連結部である。この構成は実質的には簡易なものであり、両端部に連結部１５ａ・１５ｂを有するフレキシブルホース１４の内部に環状弾性材１３を挿通することによって完成される。そして、このフープ１１を連結部を嵌合しない直線状の状態で袋の胴部下縁の各フープ通し１２に挿通し、最後に連結部１５ａ・１５ｂを確実に嵌合するだけで足りる。
【００２６】
なお、連結部の構成は図２に示した実施の形態に限定されるものではなく、フレキシブルホースの両端部を確実に組み合わせ、容易に外れないような構成であればよい。
【００２７】
また、上記実施形態では、フープの構成としてフレキシブルホース１４中に環状弾性材１３を挿通したものを開示しているが、本願発明では環状弾性材１３が外部からの衝撃によって容易に破損しないような構成であれば良く、例えば、別の実施形態として、フレキシブルホース１４に代えて、発泡ウレタンなどの発泡合成樹脂材からなるホースを用いたりすることもある。なお、その場合にも両端部を連結してリング状とするために、連結部は必要である。
【００２８】
さらに、上記各実施形態の他、環状弾性材１３を保護するためのフレキシブルホース１４または発泡合成樹脂材からなるホースを省略して、直接、環状弾性材１３をフープ通し１２に挿通してフレームを構成することもある。
【００２９】
また、上記各実施形態において、環状弾性材１３は単一のグラスファイバー棒材をリング状に撓めたものに限定するものではない。即ち、例えば図３に示すように、可撓管として複数のグラスファイバー管１６、１６・・を、テーパーを有するヒューム管等の結合部材１７を介してリング状に撓めて互いに連結し、環状フープを構成することもある。この場合、各グラスファイバー管１６には一本のゴム紐１８を挿通して、各管がバラバラにならないようにしておくことが好ましい。そして、かかる構成のフープをフープ通しに挿通してフレームを構成するのである。かかるフープによっても、胴部下縁は円状に開いた状態で維持される。
【００３０】
【発明の効果】
以上述べたように、本発明に係る堆肥化袋は、その胴部の下縁外周にフープを取り付けるようにしたので、原肥が腐熟して袋内に堆積し、硬化するようなことがあっても、袋下端の排出口部にフレームが構成され、該部を一定の大きさに広く維持し、堆肥の排出時にブリッジが引っ掛かることがなく、極めて容易に堆肥を排出できるという顕著な効果を奏する。
【００３１】
また、胴部の下縁外周にベルト布を設けたことによって、雨よけとなり、堆肥が必要以上に湿潤となることを防止すると共に、袋の底部に立ち上がりを形成することになるので、袋を安定して設置できるようになった。
【００３２】
さらに、フープは環状弾性材をフレキシブルホースによって保護しているので、容易に弾性材が破損することがなく、強度的に強い構成の堆肥化袋を提供できるようになった。
【図面の簡単な説明】
【図１】本発明に係る堆肥化袋の一実施形態を示す斜視図である。
【図２】フープの一例を示す部分拡大斜視図である。
【図３】フープの他の例を示す部分図である。
【符号の説明】
１    胴部
２    上蓋
３    ファスナー
４    持ち手
５    底受け材
６    リング
７    ロープ
８    排出口部
１０    ベルト布
１１    フープ
１２    フープ通し
１３    環状弾性材
１４    フレキシブルホース
１５    連結部
１６    可撓管
１７    結合部材
【図１】
0003729444.tif 000002
【図２】
0003729444.tif 000003
【図３】
0003729444.tif 000004